(57)【要約】      （修正有）【課題】卵殻を装飾する場合に、卵殻を宙に浮かせるようにした場合であっても、卵殻が壊れてしまわないようにする卵殻の装飾品を提供する。【解決手段】直方体をなす透明なケーシング２と、そのケーシング２の対角線上に起立させた透明板３と、卵殻４を分割させた分割要素４３とを備え、卵殻４の分割要素４３を透明板３の表裏に連続するように貼り付ける。そして、この分割要素４３と透明板３との境界部分が分からないようにするため、分割要素４３の分割面４４に沿って、立体的な装飾であるビーズ４２を配列し、また、これと平行に他の部分にもビーズ４２を配列して、観察者の注意を分散させる。【選択図】図１
0003164374.tif 000002
【実用新案登録請求の範囲】
【請求項１】
矩形柱をなす透明なケーシングと、
当該矩形柱をなすケーシングの対角線上に起立させた透明板と、
卵殻を分割させた分割要素とを備え、
当該卵殻の分割要素を前記透明板の表裏に連続するように貼り付けるようにしたことを特徴とする卵殻の装飾品。
【請求項２】
矩形柱をなす透明なケーシングと、
当該矩形柱をなすケーシングの対角線上に起立させた透明板と、
卵殻を分割させ、当該分割面に沿って立体的な装飾物を配列した分割要素とを備え、
当該卵殻の分割要素を前記透明板の表裏に連続するように貼り付けるようにしたことを特徴とする卵殻の装飾品。
【請求項３】
矩形柱をなす透明なケーシングと、
当該矩形柱をなすケーシングの対角線上に起立させた透明板と、
卵殻を分割させ、当該分割面に沿って立体的な装飾物を配列するとともに、当該配列された装飾物と平行に立体的な装飾物を配列した分割要素とを備え、
当該卵殻の分割要素を前記透明板の表裏に連続するように貼り付けるようにしたことを特徴とする卵殻の装飾品。
【考案の詳細な説明】
【技術分野】
【０００１】
本考案は、動物の卵の殻（以下、「卵殻」という）を利用した装飾品に関するものであり、より詳しくは、卵殻が壊れないようにして宙に浮かせるようにした卵殻の装飾品に関するものである。
【背景技術】
【０００２】
従来より、ダチョウやガチョウ、アヒルなどを始めとする種々の卵殻を利用した装飾品が提案されている。この卵殻の装飾品は、楕円形状をなす卵殻の一部を切り欠いたり、あるいは、その表面にビーズやペインティングなどの装飾を施すようにしたものである（特許文献１）。
【０００３】
ところで、このような卵殻の装飾品を展示する場合、従来では、机上に卵殻を起立させるためのスタンドを用意し、そのままスタンドに卵殻を保持させるようにしたり、あるいは、そのスタンドが隠れるように造花であるブーケを垂れ流すようにしたりしていた（特許文献１）。
【先行技術文献】
【特許文献】
【０００４】
【特許文献１】登録実用新案公報第３１１７０８８号公報
【考案の概要】
【考案が解決しようとする課題】
【０００５】
しかしながら、このようなスタンドに卵殻を保持させる方法では、次のような問題を生ずる。
【０００６】
すなわち、従来では、卵殻をスタンドに保持させているため、例えば、バルーンのように宙に浮かせるように展示させることができない。一方、このように宙に浮かせように展示するためには、スタンドを非常に細くして視認できないようにするか、あるいは、上部から見にくい糸などで吊り下げるようにしなければならない。
【０００７】
しかるに、卵殻は非常に薄く脆いため、運搬時に揺れや衝撃が加わった場合は、スタンドや糸などと点接触している部分に大きなモーメントや集中荷重がかかり、卵殻が壊れてしまう可能性があった。
【０００８】
そこで、本考案は、上記課題に着目したもので、卵殻を宙に浮かせるように展示する場合であっても、卵殻が壊れてしまわないようにすることを目的とする。
【課題を解決するための手段】
【０００９】
すなわち、本考案の卵殻の装飾品は上記課題を解決するために、多角柱をなす透明なケーシングと、当該多角柱をなすケーシングの対角線上に起立させた透明板と、卵殻を分割させた分割要素とを備え、当該卵殻の分割要素を前記透明板の表裏に連続するように貼り付けるようにしたものである。
【００１０】
このように構成すれば、起立させた透明板の表裏に卵殻の分割要素を貼り合わせているので、あたかも、卵殻が宙に浮いているように見せかけることができる。しかも、分割要素の広い面積で透明板に貼り合わされているため、運搬時に多少の揺れを生じた場合であっても、卵殻が壊れる心配がなくなる。さらには、透明板をケーシングの対角線上に起立させているため、観察者が正面から卵殻を見た場合であっても、透明板に自分の姿が映ることがなく、透明板の存在を意識させることなく、卵殻が宙に浮いたように見せかけることができる。
【００１１】
また、このような考案において、卵殻の分割面に沿って立体的な装飾物を配列し、この立体的な装飾物によって透明板を挟み込むようにする。
【００１２】
このように構成すれば、ある程度厚みのある透明板の表裏に卵殻の分割要素を貼り合わせた場合であっても、その立体的な装飾物によって透明板との隙間を隠すことができ、より自然に宙に浮いているように見せかけることができる。
【００１３】
さらには、分割面に沿って立体的な装飾物を配列するとともに、その配列された装飾物と平行に立体的な装飾物を配列し、分割面に沿って配列された立体的な装飾物によって透明板を挟み込むようにする。
【００１４】
このようにすれば、分割面にのみ立体的な装飾物が存在するのではなく、同様な装飾物が平行に存在しているので、観察者にどの部分が貼り合わせ部分であるかを分からなくすることができる。
【考案の効果】
【００１５】
本考案によれば、矩形柱をなす透明なケーシングと、当該矩形柱をなすケーシングの対角線上に起立させた透明板と、卵殻を分割させた分割要素とを備え、当該卵殻の分割要素を前記透明板の表裏に連続するように貼り付けるようにしたので、あたかも、卵殻が宙に浮いているように見せかけることができるようになる。しかも、分割要素の広い面積で透明板に貼り合わされているため、運搬時に多少の揺れを生じた場合であっても、卵殻が壊れる心配がなくなる。さらには、透明板をケーシングの対角線上に起立させているため、観察者が正面から卵殻を見た場合であっても、透明板に自分の姿が映ることがなく、透明板の存在を意識させることなく、卵殻が宙に浮いたように見せかけることができる。
【図面の簡単な説明】
【００１６】
【図１】本考案の一実施の形態を示す卵殻の装飾体の外観図
【図２】同形態における透明板に卵殻を貼り合わせた状態を示す図
【図３】同形態におけるケーシングを上から見た図
【図４】同形態におけるケーシングの底面の溝を示す図
【考案を実施するための形態】
【００１７】
以下、本考案の一実施の形態について図面を参照して説明する。この実施の形態における卵殻の装飾品１は、装飾された卵殻４を縦長方向に二つに分割し、その分割された分割要素４３を透明板３の表裏に連続するように貼り合わせ、その貼り合わせた透明板３をケーシング２の対角方向に起立させた状態で保持させるようにしたものである。以下、本実施の形態における卵殻の装飾品１について詳細に説明する。
【００１８】
まず、卵殻４を収納するためのケーシング２は、図１に示すように、直方体あるいは立方体形状をなすもので、側面部分を透明なアクリル板もしくはガラス板などで構成し、底面部２１および上面部２２を不透明な素材で構成するようにしている。この底面部２１および上面部２２には、図４に示すように、対角方向に沿って透明板３を差し込むための溝２３が形成されており、この溝２３に透明板３の下端部分および上端部分を差し込んで固定できるようにしている。ところで、このように一つの対角方向にのみ溝２３を形成すると、そこに透明板３が差し込まれていることが観察者に分かってしまうため、図３や図４に示すように、これと同じ幅の溝２３を平行に複数設けるとともに、反対側の対角方向に沿っても同じ幅を有する溝２３を複数本設けるようにする。このようにすることによって、観察者の注意を分散させて、透明板３がどこに設けられているのかを分からなくする。
【００１９】
一方、このケーシング２の対角方向に設けられる透明板３は、無色透明なアクリル板もしくはガラス板などで構成されるものであって、ケーシング２の対角部分であるコーナーからコーナーまで連続するように設けられる。ここで、この透明板３の厚みを大きくすると、安定して卵殻４を保持させることができるが、厚みが厚すぎると、卵殻４の分割要素４３を挟み込む際に、その隙間に挟み込まれた透明板３が見えてしまい、そこに透明板３が存在することが分かってしまう。さらには、透明板３が厚すぎると、ケーシング２のコーナー部分で端部が視認されてしまい、同様に、透明板３が存在することが分かってしまう。一方、逆に透明板３が薄すぎると、透明板３が撓みやすくなってしまい、卵殻４が破損してしまう可能性もある。このため、好ましくは、透明板３の厚みについては撓みを生じさせることなく、かつ、分割要素４３の隙間やコーナーでの端部が見えにくいような厚み（例えば、２ｍｍ〜５ｍｍ程度）にしておく。
【００２０】
この透明板３の表裏に貼り合わされる卵殻４は、ダチョウや黒ダチョウ、ガチョウ、アヒル、チキン、ウズラなどの卵の殻で構成されるものであって、卵白や卵黄を取り除いた状態で、その表面に模様となる切り欠き４１やビーズ４２などの装飾を施すようにしたものである。このような切り欠き４１やビーズ４４などの装飾を形成する場合、一般的には、先端部分の工具を高速回転させることが可能なミニルーター、エアーツールなどを用い、また、装飾を施す場合は、ラインストーンチェーンやビーズ、コード、デカールなどを用いる。
【００２１】
ところで、このように切り欠き４１や模様を施した卵殻４は、その切り欠き４１によって強度が弱くなり、かつ、その表面に取り付けられる装飾などによって重くなって壊れやすくなってしまう。このため、従来のようにスタンドに保持させる方法では、運搬時における揺れなどによって、スタンドと卵殻４との接合部分に大きなモーメントや集中荷重などがかかり、その部分で壊れてしまうことがある。
【００２２】
そこで、この実施の形態では、卵殻４を縦長方向に沿って左右対称となるように分割し、その分割した分割要素４３を透明板３の表裏に連続するように貼り合わせるようにする。この分割処理を行う場合は、卵殻４の装飾を行った後に、円盤状をなす研磨工具を高速回転させて、縦長方向に沿って分割させる。もしくは、可能であれば、先に楕円形状をなす卵殻４を左右に分割させて、その後、切り欠き４１や模様などを施すようにする。そして、このように分割させた分割要素４３の端部（分割面４４）を平らになるように加工し、透明板３の表裏に貼り合わせるようにする。
【００２３】
このとき、単に分割要素４３を透明板３の表裏に貼り合わせたのでは、貼り合わされた分割要素４３の隙間から透明板３が見えてしまい、そこに透明板３が存在することが分かってしまう。そこで、この分割要素４３における分割面４４に沿って立体的な装飾品として、例えば、小さなビーズ４２などを貼り付けるようにする。このようにすれば、表裏に分割要素４３を貼り合わせた場合に、そのビーズ４２によって境界部分を隠すことができるため、そこに透明板３が存在することを分からなくすることができる。しかし、その分割面４４にのみビーズ４２などを設けると、観察者の注意がその部分にのみ注ぎ込まれ、透明板３の存在が分かってしまう。このため、このビーズ４２と平行に他の部分にもビーズ４２を貼り付けるようにする。このとき、他の部分におけるビーズ４２についても、透明板３を挟み込むビーズ４２と同じ間隔をもってビーズ４２を貼り付けるようにするとよい。このようにすることによって、観察者の注意を分散させることができ、透明板３がどの部分にあるかを分からなくさせることができるようになる。
【００２４】
次に、このように構成された卵殻の装飾品１の組み立て工程について説明する。
【００２５】
まず、卵殻の装飾品１を組み立てる場合、楕円形状をなす卵殻４の表面に切り欠き４１加工や装飾加工などを施す。この場合、あらかじめ、切り欠き４１や装飾を行う部分に下書きをしておき、その下書きに沿って星形などの切り欠き４１やビーズ４２などの貼り付け作業を行う。そして、あらかじめ下書きされた縦長方向の線に沿って卵殻４を左右二つに分割し、その分割面４４を平らに処理して、左右対称となる分割要素４３を形成する。なお、ここでは作業時における卵殻４の破損を防止するため、卵殻４を楕円形状のままで切り欠き加工や装飾加工を施すようにしているが、卵殻４の大きさや強度によっては、先に分割してから切り欠き加工や装飾加工を施すようにしてもよい。
【００２６】
次に、このように分割された分割要素４３を透明板３に貼り付ける。この貼り付け作業を行う場合は、分割面４４に接着剤を塗布した状態で透明板３に貼り付けるか、もしくは、その分割面４４に糊代がほとんど存在しない場合は、その分割面４４に沿って設けられたビーズ４２などの装飾物にも接着剤を塗布して透明板３に貼り付けるようにしてもよい。あるいは、卵殻４の内側に糊代を形成するための部材を設けておき、確実に卵殻４を貼り付けるようにする。そして、同様の作業を、透明板３の裏面側についても行い、全体として卵殻４が連続して設けられているかのようにする。
【００２７】
次に、このように卵殻４を貼り合わせた透明板３をケーシング２に挿入し、底面部２１の対角方向に設けられた溝２３に下端を挟み込むとともに、コーナーによってその透明板３を固定する。そして、その透明板３の上端部分についても同様に、ケーシング２の上面部２２を被せて溝２３に挟み込み、これによって全ての端部を固定できるようにする。
【００２８】
このように上記実施の形態によれば、直方体をなす透明なケーシング２と、そのケーシング２の対角線上に起立させた透明板３と、卵殻４を分割させた分割要素４３とを備え、卵殻４の分割要素４３を透明板３の表裏に連続するように貼り付けるようにしたので、あたかも、卵殻４が宙に浮いているように見せかけることができるようになる。しかも、分割要素４３の広い面積で透明板３に貼り合わされているため、運搬時に多少の揺れを生じた場合であっても、卵殻４が壊れる心配がなくなる。さらには、透明板３をケーシング２の対角線上に起立させているため、観察者が正面から卵殻４を見た場合であっても、透明板３に自分の姿が映ることがなく、透明板３の存在を意識させることなく、卵殻４が宙に浮いたように見せかけることができる。
【００２９】
また、上記実施の形態では、卵殻４の分割面４４に沿って立体的なビーズ４２を配列し、この立体的なビーズ４２によって透明板３を挟み込むようにしたので、透明板３の表裏に卵殻４の分割要素４３を貼り合わせる場合であっても、その立体的なビーズ４２によって透明板３との隙間を隠すことができ、より自然に宙に浮いているように見せかけることができる。
【００３０】
さらには、分割面４４に沿って立体的なビーズ４２を配列するとともに、その配列されたビーズ４２と平行に他のビーズ４２を配列したので、観察者にどの部分が貼り合わせ部分であるかを分からなくすることができるようになる。
【００３１】
なお、本考案は、上記実施の形態に限定されるものではなく、種々の態様で実施することができる。
【００３２】
例えば、上記実施の形態では、ケーシング２として直方体あるいは立方体形状をなすケーシング２を用いた場合について説明したが、多角柱のケーシングであってもよく、あるいは円柱のケーシングであってもよい。
【００３３】
また、上記実施の形態では、透明板３を一方の対角方向に沿って取り付けるようにしたが、複数の対角方向に沿って透明板３を取り付け、これに卵殻４の分割要素４３を貼り付けるようにしてもよい。ただし、透明板３の数が多くなればなるほど透明感が失われ、また、光の複雑な反射によって透明板３の存在が分かってしまう可能性があるため、可能な限り透明板３は少なくする方がよい。
【００３４】
さらに、上記実施の形態では、透明板３の左右両端部をコーナー部分で挟み込むように保持させているが、この端部が目立ってしまう場合は、ケーシング２のコーナー部分に目隠しを設けて、観察者に透明板３の左右両端部を見えないようにしてもよい。
【００３５】
また、上記実施の形態では、卵殻４としてバルーン状の卵殻４を用いているが、このようなデザインに限定されるものではなく、種々のデザインのものを用いることができる。
【００３６】
また、上記実施の形態では、分割面４４に沿ってビーズ４２を配列するようにしたが、これに限らず、分割面４４を隠すような立体的な装飾であれば、どのような装飾を用いてもよい。
【産業上の利用可能性】
【００３７】
本考案は、室内などに展示される卵殻の装飾品の分野において利用され、特に、運搬などによる揺れが多く生じて卵殻が壊れてしまうような分野において利用される。
【符号の説明】
【００３８】
１・・・卵殻の装飾品
２・・・ケーシング
２１・・・底面部
２２・・・上面部
２３・・・溝
３・・・透明板
４・・・卵殻
４１・・・切り欠き
４２・・・ビーズ
４３・・・分割要素
４４・・・分割面
【図１】
0003164374.tif 000003
【図２】
0003164374.tif 000004
【図３】
0003164374.tif 000005
【図４】
0003164374.tif 000006